(57)【要約】      （修正有）【課題】複数枚の用紙を送紙する場合により大きい用紙分離力をかける用紙分離装置を提供する。【解決手段】用紙分離装置は、トルクリミッター１１１に接続される用紙分離ローラ１１を有する用紙分離ローラ組と、複数の伝動ギア２２〜２４を有する伝動ギア組と、伝動ギア組に連結され、正回転又は逆回転のためのトルクを付与するモーター３とを有する。用紙分離ローラとトルクリミッターとの間に同軸の用紙分離ギアを有する。複数の伝動ギアのうちの２つは連結部２７により接続され、連結部により接続される伝動ギアのうちの１つは用紙分離ギア１１２に分離可能に接続される。モーターが正回転又は逆回転すると、伝動ギアと連動する連結部が正回転又は逆回転することで、用紙分離ローラに分離可能に接続される伝動ギアが接続状態又は分離状態に切り替えられる。【選択図】図２
0003226528.tif 000002
【実用新案登録請求の範囲】
【請求項１】
トルクリミッターに接続される用紙分離ローラを有する用紙分離ローラ組と、
複数の伝動ギアを有する伝動ギア組と、
前記伝動ギア組に連結され、正回転又は逆回転のためのトルクを付与するモーターと、
を有し、
前記用紙分離ローラと前記トルクリミッターとの間に同軸の用紙分離ギアを有し、
前記複数の伝動ギアのうちの２つは連結部により接続され、前記連結部により接続される前記伝動ギアのうちの１つは前記用紙分離ギアに分離可能に接続され、
前記モーターが正回転又は逆回転すると、前記伝動ギアと連動する前記連結部が正回転又は逆回転することで、前記用紙分離ローラに分離可能に接続される前記伝動ギアが接続状態又は分離状態に切り替えられる、
ことを特徴とする用紙分離装置。
【請求項２】
前記伝動ギア組は、前記モーターに接続される第１の伝動ギアと、前記第１の伝動ギアに噛み合う第２の伝動ギアと、前記第２の伝動ギアに噛み合う第３の伝動ギアと、前記第３の伝動ギアに噛み合う第４の伝動ギアと、前記第４の伝動ギアに噛み合う第５の伝動ギアとを有し、
前記第５の伝動ギアが前記用紙分離ギアに噛み合うことで前記用紙分離ローラを回転させ、
前記第４の伝動ギア及び前記第５の伝動ギアが前記連結部により接続される、
ことを特徴とする請求項１に記載の用紙分離装置。
【考案の詳細な説明】
【技術分野】
【０００１】
本考案は、用紙分離装置、特に１枚又は複数枚の用紙を送紙する時に用紙分離効果を安定させる用紙分離装置に関する。
【背景技術】
【０００２】
従来の用紙分離装置において、用紙分離ローラとトルクリミッターを利用して用紙分離ローラに用紙分離力を生じさせる。前記用紙分離力は、トルクリミッターの回転トルクを用紙分離ローラの半径で割った値である。用紙分離力が用紙同士の間の摩擦力より大きいため、複数枚の用紙を分けることができる。
【考案の概要】
【考案が解決しようとする課題】
【０００３】
従来の用紙分離装置の用紙分離ローラは、受動式用紙分離ローラ及び主動式用紙分離ローラの２種類に分けられる。図４に示すように、受動式用紙分離ローラにおいて、用紙分離ローラ１１’にトルクリミッター１１１’を設ける。用紙分離ローラ１１’は、他のトルクがかけられずに、送紙による力によって回転される。しかしながら、受動式用紙分離ローラ１１’の用紙分離力を大きくしようとする場合、トルクリミッターのトルクを大きくしなければならない。その場合、用紙分離ローラ１１’がスムーズに回転できなく、摩耗の不均一という問題がある。
【０００４】
図５に示すように、主動式用紙分離ローラにおいて、伝動システム２’によってトルクリミッター１１１’を駆動させると共に、用紙分離ローラ１１’を紙送り方向の反対方向に回転させる。用紙分離ローラ１１’が主動的に回転しているため、用紙分離において、同じ箇所のみが摩耗することを避けることができる。また、複数枚の用紙の場合、用紙分離ローラ１１’を回転させて複数枚の用紙を紙送り方向と反対方向に搬送させるため、用紙分離効果を有する。しかしながら、用紙分離ローラの方向が紙送り方向と逆方向となるため、用紙の前端が折られ易い。
【０００５】
よって、用紙の前端を折らずに、より大きい用紙分離力をかける用紙分離ローラが求められている。
【課題を解決するための手段】
【０００６】
本考案の目的は、複数枚の用紙を送紙する場合により大きい用紙分離力をかける用紙分離装置を提供する。
【０００７】
上記目的を実現するために、本考案の用紙分離装置は、トルクリミッターに接続される用紙分離ローラを有する用紙分離ローラ組と、複数の伝動ギアを有する伝動ギア組と、伝動ギア組に連結され、伝動ギアに対して正回転又は逆回転のためのトルクを付与するモーターとを有する用紙分離装置。前記用紙分離ローラと前記トルクリミッターとの間に同軸の用紙分離ギアを有する。前記複数の伝動ギアのうちの２つは連結部により接続され、前記連結部により接続される前記伝動ギアのうちの１つは前記用紙分離ギアに分離可能に接続される。前記モーターが正回転又は逆回転すると、前記伝動ギアと連動する前記連結部が正回転又は逆回転することで、前記用紙分離ローラに分離可能に接続される前記伝動ギアが接続状態又は分離状態に切り替えられる。
【考案の効果】
【０００８】
また、伝動ギア組の回転と連動する連結部を回転させることで、連結部により接続される伝動ギアのうちの１つが用紙分離ローラとの接続状態又は分離状態に切り替えられる。このようにすると、普通の状況では、受動式用紙分離ローラの原理で作動し、複数枚の用紙を送紙する状況では、用紙分離ローラは、ただトルクリミッターの制限による固定の用紙分離力を生じることではなく、モーターによってより強い用紙分離力を生じることができる。
【図面の簡単な説明】
【０００９】
【図１】本考案の用紙分離装置の斜視図である。
【図２】本考案の用紙分離装置において、伝動ギアと用紙分離ローラが接続している状態を示す斜視図である。
【図３】本考案の用紙分離装置において、伝動ギアと用紙分離ローラが分離している状態を示す斜視図である。
【図４】従来技術の受動式用紙分離ローラの斜視図である。
【図５】従来技術の主動式用紙分離ローラの斜視図である。
【考案を実施するための形態】
【００１０】
以下、実施例及び図面によって、本考案の技術内容、構造的な特徴、目的及び効果を詳しく説明する。
【００１１】
図１〜３に示すように、本考案の用紙分離装置１００は、自動紙送り機に設けられ、異なる種類の用紙を分けるために用いられる。用紙分離装置１００は、用紙分離ローラ組１、伝動ギア組２、及び回転制限トルクをかけるモーター３を有する。本実施例において、図１の前方（紙面の裏側）を前方と定義する。用紙分離装置１００によって用紙をピックアップしようとする場合、用紙を後端から入れて前端に送る。
【００１２】
前記用紙分離ローラ組１は、用紙分離ローラ１１を有する。用紙分離ローラ１１は、用紙分離ローラ１１に回転制限トルクをかけるトルクリミッター１１１に接続される。用紙分離ローラ１１とトルクリミッター１１１の間に同軸の用紙分離ギア１１２を有する。
【００１３】
図２、３に示すように、伝動ギア組２は、モーター３に接続され、複数の伝動ギアを有する。前記複数の伝動ギアのうちの２つが連結部２７により接続され、前記連結部２７上の前記伝動ギアが前記用紙分離ギア１１２に分離可能に接続される。前記モーター３が正回転又は逆回転すると共に、前記伝動ギアと連動する連結部２７が正回転又は逆回転することで、前記用紙分離ローラ１１に分離可能に接続される前記伝動ギアが接続状態又は分離状態に切り替えられる。
【００１４】
前記伝動ギア組２は、モーター３に接続される第１の伝動ギア２１、第１の伝動ギア２１に噛み合う第２の伝動ギア２２、第２の伝動ギア２２に噛み合う第３の伝動ギア２３、第３の伝動ギア２３に噛み合う第４の伝動ギア２４、及び第４の伝動ギア２４に噛み合う第５の伝動ギア２５を有する。第５の伝動ギア２５を用紙分離ギア１１２に噛み合うことで、用紙分離ローラ１１を回転させる。
【００１５】
図１、２に示すように、以下の回転方向は、図２の正面視を基準とする。第４の伝動ギア２４と第５の伝動ギア２５が連結部２７によって接続される。連結部２７と第５の伝動ギア２５の間に抗力を有するため、モーター３が反時計回りに回転すると共に、互いに噛み合った第１の伝動ギア２１、第２の伝動ギア２２、第３の伝動ギア２３、第４の伝動ギア２４、及び第５の伝動ギア２５を回転させる。その場合、第４の伝動ギア２４が反時計回りに回転する。また、第５の伝動ギア２５と連結部２７の間の抗力によって、連結部２７と第４の伝動ギア２４を共に反時計回りに回転させ、第５の伝動ギア２５と用紙分離ギア１１２が噛み合うことで、用紙分離ローラ１１を回転させる。
【００１６】
図１、３に示すように、以下の回転方向は、図３の正面視を基準とする。モーター３が時計周りに回転すると共に、第４の伝動ギア２４を時計周りに回転させる。さらに、第５の伝動ギア２５と連結部２７の間の抗力によって、連結部２７と第４の伝動ギア２４を共に時計回りに回転させ、第５の伝動ギア２５と用紙分離ギア１１２とは分離状態になることで、伝動ギア組２から用紙分離ローラ１１により大きい抗力をかけることを避ける。
【００１７】
本実施例において、第５の伝動ギア２５と連結部２７の間に制動油を塗ることで、第５の伝動ギア２５と連結部２７の間の抗力を大きくする。それによって、第５の伝動ギア２５が回転すると共に連結部２７を回転させる。
【００１８】
本考案の用紙分離装置１００によれば、複数枚の用紙を分けるために用いられる。普通の１枚の用紙の状況では、伝動ギア組２と用紙分離ギア１１２とは分離状態になる。その場合、用紙分離システムは受動式用紙分離ローラ構造である。複数枚の用紙の状況では、伝動ギア組２は、モーター３の回転によって連結部２７と用紙分離ギア１１２とは接続状態になる。このようにすると、前記用紙分離ギア１１２は、トルクリミッターによらずに用紙分離ローラ１１に逆回転の動力をかける。そのため、トルクリミッターに制限されずに、より大きいトルク（即ち、より大きい用紙分離力）を生じて複数枚の用紙を分けることができる。
【符号の説明】
【００１９】
１００  用紙分離装置
１  用紙分離ローラ組
１１  用紙分離ローラ
１１１  トルクリミッター
１１２  用紙分離ギア
２  伝動ギア組
２１  第１の伝動ギア
２２  第２の伝動ギア
２３  第３の伝動ギア
２４  第４の伝動ギア
２５  第５の伝動ギア
２７  連結部
３  モーター
【図１】
0003226528.tif 000003
【図２】
0003226528.tif 000004
【図３】
0003226528.tif 000005
【図４】
0003226528.tif 000006
【図５】
0003226528.tif 000007